(57)【要約】      （修正有）【課題】取付位置に関わらず、共通の操作によりスラットを同方向に角度調節可能とする電動ブラインドの操作装置を提供する。【解決手段】操作スイッチ１１に、スラットの昇降操作を行うための上昇ボタン１３及び下降ボタン１４と、スラットの角度調節操作を行うボタンを備え、操作スイッチ１１の操作によりヘッドボックス内の制御部を介してスラットの昇降操作と角度調節操作を行う。上昇ボタン１３及び下降ボタン１４に、スラットの昇降操作と角度調節操作を行うための押ボタンスイッチ機能とタッチスイッチ機能を備え、上昇ボタン１３でスラットの引き上げ操作と、スラットの一方向への回動操作を行い、下降ボタン１４でスラットの下降操作と、スラットの他方向への回動操作を行う。【選択図】図１
0003164920.tif 000002
【実用新案登録請求の範囲】
【請求項１】
操作スイッチに、スラットの昇降操作を行うための上昇ボタン及び下降ボタンと、スラットの角度調節操作を行うボタンを備え、前記操作スイッチの操作によりヘッドボックス内の制御部を介してスラットの昇降操作と角度調節操作を行う電動ブラインドの操作装置において、
前記上昇ボタン及び下降ボタンに、スラットの昇降操作と角度調節操作を行うための押ボタンスイッチ機能とタッチスイッチ機能を備え、前記上昇ボタンでスラットの引き上げ操作と、スラットの一方向への回動操作を行い、前記下降ボタンでスラットの下降操作と、スラットの他方向への回動操作を行うことを特徴とする電動ブラインドの操作装置。
【請求項２】
前記制御部は、前記上昇ボタン及び下降ボタンの押ボタンスイッチの出力信号に基づいてスラットを昇降し、前記上昇ボタン及び下降ボタンのタッチスイッチの出力信号に基づいてスラットを回動させることを特徴とする請求項１記載の電動ブラインドの操作装置。
【請求項３】
前記上昇ボタンを停止ボタンの上方に設け、前記下降ボタンを停止ボタンの下方に設けたことを特徴とする請求項１又は２記載の電動ブラインドの操作装置。
【請求項４】
前記操作スイッチに、押ボタンスイッチ機能とタッチスイッチ機能を備えたエリアボタンを設け、前記エリアボタンでエリアの設定操作と、エリアの選択操作とを行なうことを特徴とする請求項１乃至３のいずれか１項に記載の電動ブラインドの操作装置。
【請求項５】
前記操作スイッチに、選択されたエリアを表示するＬＥＤと、エリアの範囲を設定するディップスイッチとを備えたことを特徴とする請求項４記載の電動ブラインドの操作装置。
【請求項６】
前記操作スイッチに、前記エリアボタンの操作と、前記ディップスイッチの出力信号に基づいてエリアの範囲を設定し、かつ前記ＬＥＤを駆動するマイコンを備えたことを特徴とする請求項５記載の電動ブラインドの操作装置。
【考案の詳細な説明】
【技術分野】
【０００１】
この考案は、電動ブラインドの操作装置に関するものである。
【背景技術】
【０００２】
図１１は、窓面に沿って多数の電動横型ブラインドが設置されたフロアの一例を示す。多数のブラインド１はそれぞれ窓面２に沿って設置され、各ブラインド１を操作するための操作スイッチ３は、各ブラインド１の近傍に位置する柱４の側面に取付けられている。
【０００３】
図１２は、前記操作スイッチ３の一例を示す。操作スイッチ３の操作面の中央には停止ボタン５が設けられ、その停止ボタン５の上方に上昇ボタン６が設けられ、停止ボタン５の下方に下降ボタン７が設けられている。また、停止ボタン５の左右両側にスラットを角度調節するためのチルトボタン８，９が設けられている。
【０００４】
このブラインド１は、ヘッドボックスに内蔵される一つのモータで駆動軸を回転させ、その駆動軸を回転駆動することによりスラットを昇降し、かつスラットを角度調節するようになっている。スラットの角度調節は、スラットを引き上げるときその凸面が室外側となるように回動され、スラットを引き下げるときスラットの凸面が室内側となるように回動される。そして、スラットがほぼ垂直方向まで回動されると、同方向へのそれ以上の回動が阻止された状態でスラットが昇降される。
【０００５】
チルトボタン８を押すとスラットは上昇しながら回動され、チルトボタン９を押すとスラットは下降しながら回動される。従って、チルトボタン８を押すとスラットの凸面が室外側となるように角度調節され、チルトボタン９を押すとスラットの凸面が室内側となるように角度調節される。
【先行技術文献】
【特許文献】
【０００６】
【特許文献１】特開平６−２０５７０号公報
【考案の概要】
【考案が解決しようとする課題】
【０００７】
上記のような操作スイッチ３は、図１１に示すように、各ブラインド１の近傍に位置する柱４の四方の側面のうち、窓面に対向しない側面に取付けられている。また、操作スイッチ３は停止ボタン５の両側にチルトボタン８，９が配設されているので、柱４の対向面に取付けられる操作スイッチ３では、チルトボタン８，９が柱４の中心に対し反対側に位置する。すなわち、一方の操作スイッチ３ではチルトボタン８が窓面側に位置し、他方の操作スイッチ３ではチルトボタン９が窓面側に位置する。
【０００８】
この結果、例えば各ブラインドのスラットを同方向に角度調節する場合に、停止ボタン５に対し窓面側に位置するチルトボタンを押したり、あるいは停止ボタン５に対し室内中央側に位置するチルトボタンを操作する必要があり、その操作が煩雑となるという問題点がある。
【０００９】
このような不具合を解消するためには、柱４の対向面に取着される操作スイッチ３では、チルトボタンの配線を入れ替えればよいが、このような配線の入れ替え作業が煩雑となる。
【００１０】
特許文献１には、タッチスイッチと押圧スイッチの機能を備えた押釦スイッチが開示されている。
この考案の目的は、取付位置に関わらず、共通の操作によりスラットを同方向に角度調節可能とする電動ブラインドの操作装置を提供することにある。
【課題を解決するための手段】
【００１１】
請求項１では、操作スイッチに、スラットの昇降操作を行うための上昇ボタン及び下降ボタンと、スラットの角度調節操作を行うボタンを備え、前記操作スイッチの操作によりヘッドボックス内の制御部を介してスラットの昇降操作と角度調節操作を行う電動ブラインドの操作装置において、前記上昇ボタン及び下降ボタンに、スラットの昇降操作と角度調節操作を行うための押ボタンスイッチ機能とタッチスイッチ機能を備え、前記上昇ボタンでスラットの引き上げ操作と、スラットの一方向への回動操作を行い、前記下降ボタンでスラットの下降操作と、スラットの他方向への回動操作を行う。
【００１２】
請求項２では、前記制御部は、前記上昇ボタン及び下降ボタンの押ボタンスイッチの出力信号に基づいてスラットを昇降し、前記上昇ボタン及び下降ボタンのタッチスイッチの出力信号に基づいてスラットを回動させる。
【００１３】
請求項３では、前記上昇ボタンを停止ボタンの上方に設け、前記下降ボタンを停止ボタンの下方に設けた。
請求項４では、前記操作スイッチに、押ボタンスイッチ機能とタッチスイッチ機能を備えたエリアボタンを設け、前記エリアボタンでエリアの設定操作と、エリアの選択操作とを行なう。
【００１４】
請求項５では、前記操作スイッチに、選択されたエリアを表示するＬＥＤと、エリアの範囲を設定するディップスイッチとを備えた。
請求項６では、前記操作スイッチに、前記エリアスイッチの操作と、前記ディップスイッチの出力信号に基づいてエリアの範囲を設定し、かつ前記ＬＥＤを駆動するマイコンを備えた。
【考案の効果】
【００１５】
本考案によれば、取付位置に関わらず、共通の操作によりスラットを同方向に角度調節可能とする電動ブラインドの操作装置を提供することができる。
【図面の簡単な説明】
【００１６】
【図１】第一の実施の形態の操作スイッチを示す正面図である。
【図２】上昇スイッチを示す断面図である。
【図３】電動横型ブラインドの電気的構成を示すブロック図である。
【図４】電動横型ブラインドの制御部の動作を示すフローチャートである。
【図５】電動横型ブラインドの制御部の動作を示すフローチャートである。
【図６】第二の実施の形態の操作スイッチを示す正面図である。
【図７】第二の実施の形態の操作スイッチの電気的構成を示すブロック図である。
【図８】第二の実施の形態の操作スイッチの動作を示すフローチャートである。
【図９】第二の実施の形態の操作スイッチの動作を示すフローチャートである。
【図１０】第二の実施の形態の操作スイッチの動作を示すフローチャートである。
【図１１】電動横型ブラインドと操作スイッチの設置例を示す概要図である。
【図１２】操作スイッチの従来例を示す正面図である。
【考案を実施するための形態】
【００１７】
以下、この考案を具体化した一実施の形態を図面に従って説明する。図１に示す操作スイッチ１１は、停止ボタン１２の上方に上昇ボタン１３が設けられ、下方に下降ボタン１４が設けられている。前記停止ボタン１２は、その押圧操作によりオン信号を出力する押圧スイッチで構成される。
【００１８】
前記上昇ボタン１３と下降ボタン１４は、接触操作及び押圧操作でそれぞれオン信号を出力可能とした押ボタンスイッチと、ボタンを触ることによりオン信号を出力するタッチスイッチの機能を備えている。前記上昇ボタン１３と下降ボタン１４は同一構成であるので、上昇ボタン１３についてその構成を図２に従って説明する。
【００１９】
上昇ボタン１３は、操作スイッチ１１のケース内に収容される回路基板１５上に押ボタンスイッチ１６が設けられ、その押ボタンスイッチ１６の上方に導電材で形成されたコイルスプリング等の弾性体１７が設けられている。そして、弾性体１７の上方に導電性を備えた金属板１８を介して合成樹脂あるいは木材等で形成されたボタン１９が設けられている。
【００２０】
前記回路基板１５上にはタッチセンサが配設され、そのタッチセンサが押ボタンスイッチ１６の金属ケースに電気的に接続されている。また、押ボタンスイッチ１６の出力端子は回路基板１５に電気的に接続されている。
【００２１】
このような構成により、操作者がボタン１９に指先を接触させると、金属板１８、弾性体１７及び押ボタンスイッチ１６の金属ケースを介してタッチセンサが容量変化を検出してオン信号を回路基板１５に出力するタッチスイッチとして動作する。
【００２２】
また、ボタン１９を押圧すると、金属板１８及び弾性体１７を介して押ボタンスイッチ１６が押圧され、オン信号を回路基板１５に出力するようになっている。
次に、前記操作スイッチ１１とその操作スイッチ１１で操作する電動横型ブラインドとの電気的構成を図３に従って説明する。
【００２３】
横型ブラインドのヘッドボックス内にはスラットの昇降動作及び角度調節動作を制御す制御部２０が配設される。前記制御部２０内のモータ駆動用トランス２１及び制御用トランス２２は、外部から供給されるＡＣ１００Ｖの商用電源を所定の電圧に降圧して、それぞれ整流回路２３ａ，２３ｂに出力する。
【００２４】
整流回路２３ａは、交流電圧を直流電圧に整流してモータ駆動回路２４に供給し、モータ駆動回路２４は供給された直流電圧をモータ２５に供給して、そのモータ２５の動作を制御する。
【００２５】
整流回路２３ｂは、交流電圧を直流電圧に整流してマイコン２６及び前記操作スイッチ１１内のタッチセンサ２７に供給する。
エンコーダ部２８は、前記モータ２５の回転速度に応じたパルス信号を生成して、前記マイコン２６に出力する。マイコン２６は、パルス信号の周期に応じてモータの回転速度を認識し、かつパルス数をカウントしてスラットの高さ及び角度を認識し、その認識結果に基づいてモータ駆動回路２４に制御信号を出力して、スラットの昇降動作及び角度調節動作を制御するようになっている。
【００２６】
前記マイコン２６には、通信送信部２９及び通信受信部３０が接続され、他の横型ブラインドやフロアコントローラーとの通信により、操作スイッチ１１の操作以外の自動制御にも対応可能となっている。また、マイコン２６に接続された記憶素子３１は、スラットの角度調節動作を停止させる角度データやスラットの昇降動作を停止させる高さ位置データ等があらかじめ格納されるとともに、自動制御時に必要となるブラインドのアドレス情報等が格納されるようになっている。
【００２７】
前記操作スイッチ１１の停止ボタン１２、上昇ボタン１３及び下降ボタン１４の押ボタンスイッチのオン信号はマイコン２６に出力される。また、上昇ボタン１３及び下降ボタン１４のタッチスイッチの信号はタッチセンサ２７に出力され、そのタッチセンサ２７の出力信号がマイコン２６に出力される。
【００２８】
上記のように構成された操作スイッチ１１は、前記従来例と同様に各電動横型ブラインドの近傍に位置する柱の側面に取付けられる。
次に、上記のような操作スイッチ１１の操作による制御部２０の動作を図４及び図５に従って説明する。
【００２９】
図４に示すように、マイコン２６は操作スイッチ１１の各ボタンからの信号入力があるか否かを常時検出している（ステップ１〜４）。上昇ボタン１３あるいは下降ボタン１４が触れられてタッチセンサ２７から出力信号が出力されると（ステップ４）、モータ２５に電圧が供給されて、スラットの角度調節動作が開始される（ステップ５）。このとき、上昇ボタン１３のボタン１９が触れられると、スラットはその凸面が室外側となるように回動され、下降ボタン１４のボタン１９が触れられると、スラットはその凸面が室内側となるように回動される。
【００３０】
マイコン２６はエンコーダ部２８から出力されるパルス信号に基づいてモータ２５の回転速度とスラットの回動角度を監視し（ステップ６）、モータ２５の回転速度が毎分８回転を超えていればモータ２５への供給電圧を低下させ、モータ２５の回転速度が毎分８回転未満であればモータ２５への供給電圧を上昇させる（ステップ７〜９）。
【００３１】
次いで、マイコン２６はスラットがあらかじめ設定された角度まで回動されたか否かを判別し（ステップ１０）、設定角度まで回動されていなければ、ステップ７〜９を繰り返す。そして、スラットが設定角度まで回動されると、モータ２５を停止させる（ステップ１１）。
【００３２】
ステップ３において、停止ボタン１２が押圧されると、マイコン２６はステップ１２に移行してモータ２５を停止させる。
ステップ２において、上昇ボタン１３あるいは下降ボタン１４が押圧されると、マイコン２６はモータ２５に電圧を供給して、スラットの引き上げ動作あるいは下降動作を行う（ステップ１３）。
【００３３】
次いで、マイコン２６はエンコーダ部２８から出力されるパルス信号に基づいてモータ２５の回転速度とスラットの高さを監視し（ステップ１４）、モータ２５の回転速度が毎分４０回転を超えていればモータ２５への供給電圧を低下させる。また、モータ２５の回転速度が毎分４０回転未満であればモータ２５への供給電圧を上昇させる（ステップ１５〜１７）。
【００３４】
次いで、マイコン２６はスラットがあらかじめ設定された高さまで昇降されたか否かを判別し（ステップ１８）、設定された高さでなければ、ステップ１５〜１７を繰り返す。そして、スラットが設定された高さまで昇降されていれば、モータ２５を停止させる（ステップ１９）。
【００３５】
上記のように構成された電動横型ブラインドの操作スイッチ１１では、次に示す作用効果を得ることができる。
（１）操作スイッチ１１の上昇ボタン１３及び下降ボタン１４に、押ボタンスイッチ機能と、タッチスイッチ機能とを備え、押ボタンスイッチ機能によりスラットを昇降操作可能とし、タッチスイッチ機能によりスラットを回動操作可能とした。従って、操作スイッチ１１を柱の対向面に取付けても、各操作スイッチ１１の上昇ボタン１３及び下降ボタン１４を触れる操作に基づく各電動横型ブラインドのスラットの回動方向を一致させることができる。
（２）スラットを昇降操作するための上昇ボタン１３及び下降ボタン１４にスラットを回動操作するためのチルトスイッチの機能を備えたので、操作スイッチ１１のボタンの数を削減することができる。従って、操作スイッチの小型化を図ることができる。
（３）上昇ボタン１３、下降ボタン１４及び停止ボタン１２を押ボタンスイッチとして使用することにより、ロールブラインドの操作スイッチとして使用することもできる。
（第二の実施の形態）
図６〜図１０は、第二の実施の形態を示す。この実施の形態は、あらかじめ設定された複数のエリアの複数の電動横型ブラインドの動作を一括して制御可能とした操作スイッチに、押ボタンスイッチ機能とタッチスイッチ機能とを備えた操作ボタンを使用したものである。
【００３６】
図６に示す操作スイッチ３２の表面には、停止ボタン３３と、上昇ボタン３４と、下降ボタン３５と、Ａ〜Ｈの８つのエリアを示すＬＥＤ３６と、エリアを選択するためのエリアボタン３７と、ローカルボタン３８が設けられている。
【００３７】
前記停止ボタン３３は、押ボタンスイッチで構成され、上昇ボタン３４と、下降ボタン３５と、エリアボタン３７とは、前記第一の実施の形態の上昇ボタン１３及び下降ボタン１４と同様に、押ボタンスイッチ機能とタッチスイッチ機能とを備えたものである。また、ローカルボタン３８は押ボタンスイッチである。
【００３８】
前記操作スイッチ３２の電気的構成を図７に示す。この操作スイッチ３２は、マイコン３９を備え、そのマイコン３９により前記ＬＥＤが駆動される。停止ボタン３３、上昇ボタン及び下降ボタン３５は、その押ボタンスイッチ機能の出力信号がマイコン３９に出力され、タッチスイッチ機能の出力信号は、タッチセンサ４０を介してマイコン３９に出力される。
【００３９】
同様に、エリアボタン３７の押ボタンスイッチ機能の出力信号がマイコン３９に出力され、タッチスイッチ機能の出力信号はタッチセンサ４０を介してマイコン３９に出力される。ローカルボタン３８の出力信号はマイコン３９に出力される。
【００４０】
マイコン３９にはメモリ４１が接続されるとともに、操作スイッチ３２の裏面に取着されるディップスイッチ４２が接続される。このディップスイッチ４２は、ブラインドのエリアを設定する際に使用される。
【００４１】
前記マイコン３９は、各ボタン類の操作とあらかじめ設定されたプログラムとに基づいて動作する。各ボタンの操作による動作を説明すると、エリアボタン３７に触れ続けると、ＬＥＤ３６が順次点灯する。また、エリアボタン３７に触れてすぐ離す動作を繰り返しても、ＬＥＤ３６が順次点灯する。このような動作により、点灯されたＬＥＤ３６に対応するエリアが選択される。
【００４２】
また、エリアボタン３７を押圧すると、ＬＥＤ３６がすべて点灯され、全エリアが選択される。
上昇ボタン３４に触れると、マイコン３９から選択されたブラインドの制御部に制御信号が出力されて、上昇ボタン３４に触れている間に限り、スラットの凸面が室外側となるように回動される。下降ボタン３５に触れると、下降ボタン３５に触れている間に限り、スラットの凸面が室内側となるように回動される。
【００４３】
上昇ボタン３４を押圧すると、スラットが引き上げられる。同様に、下降ボタン３５を押圧すると、スラットが下降される。停止ボタン３３を押圧すると、スラットの昇降動作が停止される。
【００４４】
また、この操作スイッチ３２は、選択されたエリアの各ブラインドの昇降動作におけるスラット上限位置及びスラット下限位置を設定可能である。すなわち、上昇ボタン３４に触れて、選択されたエリアの各ブラインドのスラットを引き上げ、所望の上限位置で上昇ボタン３４と停止ボタン３３を同時に押圧すると、その上限位置が設定されてメモリ４１に格納される。
【００４５】
また、下降ボタン３５に触れて、選択されたエリアの各ブラインドのスラットを下降させ、所望の下限位置で下降ボタン３５と停止ボタン３３を同時に押圧すると、その下限位置が設定されてメモリ４１に格納される。
【００４６】
図８は、エリアを選択する際の動作を示す。エリアボタン３７に触れると、ステップ２１〜２３でエリアボタン３７に触れられたことが検出され、０．３秒以上触れられると、それまで選択されていたエリアの次のエリアに対応するＬＥＤ３６が点灯され（ステップ２４，２５）、当該エリアが選択される。
【００４７】
エリアボタン３７が触れ続けられて、１．５秒以上経過すると、さらに次のエリアに対応するＬＥＤ３６が点灯され（ステップ２６〜２７）、当該エリアが選択される。このような動作により、エリアＡ〜Ｈのいずれか一つのエリアが選択可能となる。
【００４８】
ステップ２２において、エリアボタン３７が押圧されると、すべてのＬＥＤ３６が点灯されて、エリアＡ〜Ｈのすべてのエリアが選択される（ステップ２９）。
次いで、エリアボタン３７が再度押圧されると、以前に選択されていた一つのエリアが選択され、当該エリアに対応するＬＥＤ３６が点灯される（ステップ３０，３１）。
【００４９】
図９及び図１０は、各エリアの範囲を設定する際の動作を示す。停止ボタン３３とエリアボタン３７が５秒以上押圧されると（ステップ４１〜４３）、選択されているエリアのＬＥＤ３６が点滅状態となる（ステップ４４）。
【００５０】
そして、ディップスイッチ４２を操作してブラインドのアドレスを設定すると、そのアドレスがエリアの最小アドレスとして設定される（ステップ４５）。
次いで、停止ボタン３３とエリアボタン３７が５秒以上押圧されると（ステップ４６〜４８）、ディップスイッチ４２に設定されたアドレスが当該エリアの最小アドレスとしてメモリ４１に格納される（ステップ４９）。
【００５１】
すると、選択されているエリアのＬＥＤ３６がさらに高速で点滅状態となる（ステップ５０）。次いで、ディップスイッチ４２で当該エリアの最大アドレスを設定し（ステップ５１）、この状態で停止ボタン３３とエリアボタン３７が押圧されると（ステップ５２、５３）、そのアドレスがエリアの最大アドレスとしてメモリ４１に格納される（ステップ５４）。
【００５２】
そして、選択されているエリアのＬＥＤ３６を点灯状態に復帰させて（ステップ５５）、当該エリア範囲の設定動作を終了する。
上記のようにエリアが設定された電動ブラインドシステムでは、操作スイッチ３２の上昇ボタン３４に触れると、選択されたエリア内の各ブラインドのスラットが、その凸面を室外側とするように角度調節される。また、下降ボタン３５に触れると、選択されたエリア内の各ブラインドのスラットが、その凸面を室内側とするように角度調節される。
【００５３】
上昇ボタン３４が押圧されると、選択されたエリア内の各ブラインドのスラットが引き上げられ、下降ボタン３５が押圧されると、選択されたエリア内の各ブラインドのスラットが下降される。また、停止ボタン３３が押圧されると、スラットの昇降動作が停止される。
【００５４】
また、ローカルボタン３８を押圧すると、あらかじめ設定された一つのブラインドについてのみ、スラットの昇降操作及び角度調節操作が可能となる。
上記のように構成された操作スイッチ３２では、前記第一の実施の形態で得られた作用効果に加えて、次に示す作用効果を得ることができる。
（１）操作スイッチ３２のエリアボタン３７に、押ボタンスイッチ機能と、タッチスイッチ機能とを備え、押ボタンスイッチ機能による全エリアの一括選択動作と、タッチスイッチ機能による一つずつのエリアの選択動作を選択可能とした。従って、一つずつのエリアの選択動作と、全エリアの一括選択動作とを一つのエリアボタン３７で行なうことができる。
（２）一つずつのエリアの選択動作と、全エリアの一括選択動作とを一つのエリアボタン３７で行なうことができるので、ボタンの数を削減して操作スイッチ３２を小型化することができる。
（３）選択されたエリアをＬＥＤ３６で表示することができる。
（４）ディップスイッチ４２の出力信号に基づいて、マイコン３９によりエリアの範囲を設定することができる。
【００５５】
上記実施の形態は、以下の態様で実施してもよい。
・上昇ボタン及び下降ボタンの押ボタンスイッチ機能でスラットの角度調節操作を行い、タッチスイッチ機能でスラットの昇降操作を行うようにしてもよい。
【符号の説明】
【００５６】
１１，３２…操作スイッチ、１２，３３…停止ボタン、１３，３４…上昇ボタン、１４，３５…下降ボタン。
【図１】
0003164920.tif 000003
【図２】
0003164920.tif 000004
【図３】
0003164920.tif 000005
【図４】
0003164920.tif 000006
【図５】
0003164920.tif 000007
【図６】
0003164920.tif 000008
【図７】
0003164920.tif 000009
【図８】
0003164920.tif 000010
【図９】
0003164920.tif 000011
【図１０】
0003164920.tif 000012
【図１１】
0003164920.tif 000013
【図１２】
0003164920.tif 000014